(57)【特許請求の範囲】
【請求項１】
始動口に遊技球が入賞した時に取得される乱数を判別することにより大当たりを発生させると共に、通常遊技状態と、該通常遊技状態よりも大当たりの発生確率が高く設定されていたり前記始動口の開時間が長く設定されていることで大当たり獲得のチャンスがより高確率であって遊技者にとって有利な状態である特別遊技状態とがあるパチンコ遊技機において、遊技者が発射操作手段を操作してから所定の発射禁止時間が経過した後に電動打球発射装置が作動し遊技球が発射されるように構成すると共に、遊技機が通常遊技状態であるか特別遊技状態であるかを判断する遊技状態認識手段を設け、該遊技状態認識手段によって判断された遊技状態が通常遊技状態であるときに選択されるタイムテーブルと特別遊技状態であるときに選択されるタイムテーブルとを備え、通常遊技状態であるときに選択されるタイムテーブルは前記発射禁止時間を短時間の範囲からランダムに選択し得るものであり、特別遊技状態であるときに選択されるタイムテーブルは前記発射禁止時間を前記タイムテーブルよりは長時間の範囲からランダムに選択し得るものであることを特徴とするパチンコ遊技機。
【請求項２】
始動口に遊技球が入賞した時に取得される乱数を判別することにより大当たりを発生させると共に、通常遊技状態と、該通常遊技状態よりも大当たりの発生確率が高く設定されていたり前記始動口の開時間が長く設定されていることで大当たり獲得のチャンスがより高確率であって遊技者にとって有利な状態である特別遊技状態とがあるパチンコ遊技機において、遊技者が発射操作手段を操作してから所定の発射禁止時間が経過した後に電動打球発射装置が作動し遊技球が発射されるように構成すると共に、遊技機が通常遊技状態であるか特別遊技状態であるかを判断する遊技状態認識手段を設け、該遊技状態認識手段によって判断された遊技状態が通常遊技状態であるときに高確率で選択されるタイムテーブルと特別遊技状態であるときに高確率で選択されるタイムテーブルとを備え、通常遊技状態であるときに高確率で選択されるタイムテーブルは前記発射禁止時間を短時間の範囲からランダムに選択し得るものであり、特別遊技状態であるときに高確率で選択されるタイムテーブルは前記発射禁止時間を前記タイムテーブルよりは長時間の範囲からランダムに選択し得るものであることを特徴とするパチンコ遊技機。
【発明の詳細な説明】
【０００１】
【発明の属する技術分野】
本発明は、遊技者が発射操作手段を操作してから所定の発射禁止時間が経過した後に電動打球発射装置が作動し遊技球が発射されるように構成したパチンコ遊技機に関するものである。
【０００２】
【従来の技術】
パチンコ遊技機で大当たりを発生させるメカニズムは、周知のように、普通電動役物と称されるチューリップ形の始動口に遊技球が入賞した時に取得された乱数を判別する構成である。このため、大当たり値の乱数が取得されるように遊技球を発射するタイミングを狙い打ちすることが一部の遊技者によって行われている。
【０００３】
また、前記チューリップ形の始動口は規則的に開閉動作を繰り返すように構成されているので、始動口が閉鎖した時に遊技球の発射を停止させ、開放タイミングに合わせて遊技球を発射させるような狙い打ちをし不正に出球率を上げようとすることが一部の遊技者によって行われていた。特に特別遊技状態の時は通常時よりも始動口の開放時間が長く設定されるので、このような狙い打ちをすることで出球率を飛躍的に上昇させてしまうという問題があった。
【０００４】
ところで、このような狙い打ちを許容することは他の遊技者との不公平を招来することとなるため、このようなことができないようにするべく、特許第２８９２９４７号，特開平８−１７３５９７号，特開平８−２９４５６０号等では、遊技者の発射操作の開始より不規則性の発射禁止時間を挿入し、該発射禁止時間の経過後に遊技球が弾発されるようにすることが開示されている。
【０００５】
【発明が解決しようとする課題】
しかしながら、従来の上記特許公報に開示されたように発射禁止時間をむやみに挿入すると、スムースな遊技進行を妨げパチンコ遊技の興趣を損なうおそれがあるとともに、発射球数が減るので稼働率が悪くなり遊技店の売り上げを低下させてしまうきらいがあった。
そこで本発明は、このような問題を最小限に抑えつつ上記のような狙い打ちが実質的にできないようにすることで、これらの弊害をなくそうとするものである。
【０００６】
【課題を解決するための手段】
そのために本発明は、始動口に遊技球が入賞した時に取得される乱数を判別することにより大当たりを発生させると共に、通常遊技状態と、該通常遊技状態よりも大当たりの発生確率が高く設定されていたり前記始動口の開時間が長く設定されていることで大当たり獲得のチャンスがより高確率であって遊技者にとって有利な状態である特別遊技状態とがあるパチンコ遊技機において、遊技者が発射操作手段を操作してから所定の発射禁止時間が経過した後に電動打球発射装置が作動し遊技球が発射されるように構成すると共に、遊技機が通常遊技状態であるか特別遊技状態であるかを判断する遊技状態認識手段を設け、該遊技状態認識手段によって判断された遊技状態が通常遊技状態であるときに選択されるタイムテーブルと特別遊技状態であるときに選択されるタイムテーブルとを備え、通常遊技状態であるときに選択されるタイムテーブルは前記発射禁止時間を短時間の範囲からランダムに選択し得るものであり、特別遊技状態であるときに選択されるタイムテーブルは前記発射禁止時間を前記タイムテーブルよりは長時間の範囲からランダムに選択し得るものであることを特徴とする。
また本発明は、始動口に遊技球が入賞した時に取得される乱数を判別することにより大当たりを発生させると共に、通常遊技状態と、該通常遊技状態よりも大当たりの発生確率が高く設定されていたり前記始動口の開時間が長く設定されていることで大当たり獲得のチャンスがより高確率であって遊技者にとって有利な状態である特別遊技状態とがあるパチンコ遊技機において、遊技者が発射操作手段を操作してから所定の発射禁止時間が経過した後に電動打球発射装置が作動し遊技球が発射されるように構成すると共に、遊技機が通常遊技状態であるか特別遊技状態であるかを判断する遊技状態認識手段を設け、該遊技状態認識手段によって判断された遊技状態が通常遊技状態であるときに高確率で選択されるタイムテーブルと特別遊技状態であるときに高確率で選択されるタイムテーブルとを備え、通常遊技状態であるときに高確率で選択されるタイムテーブルは前記発射禁止時間を短時間の範囲からランダムに選択し得るものであり、特別遊技状態であるときに高確率で選択されるタイムテーブルは前記発射禁止時間を前記タイムテーブルよりは長時間の範囲からランダムに選択し得るものであることを特徴とする。
【０００７】
【発明の実施の形態】
次に発明の実施形態を図面に従い説明する。図１にこのパチンコ遊技機の正面を示し、１は遊技盤、２は該遊技盤１上に設けられたカラー液晶表示器からなる図柄変動表示器、３は普通入賞口、４は通過ゲート、５はソレノイドにより一対の羽根が開閉動し得るように設けられたチューリップ型の始動口、６は上部天入賞口である。７は該始動口５の下方に設けられた大きな長方形状の大入賞口からなる可変入賞装置で、該可変入賞装置７にはソレノイドの作動により開閉動する開閉扉８が設けられ、該可変入賞装置７内には継続入賞口９が設けられている。なお、１０は図柄変動表示器２が変動表示中に始動口５に打球が入賞した場合にその個数を記憶し始動を保留するために設けた４つの表示ランプ、１１は通過ゲート４を打球が通過することにより０〜９の数字を変動表示する普通図柄変動表示器（７セグメントデジタル表示装置）、１２は該普通図柄変動表示器１１が変動表示中に通過ゲート４に打球が通った場合にその個数を記憶し変動表示を保留するために設けられた４つの表示ランプ、１３は装飾ランプである。また、１４は発射操作手段たるハンドルで、該ハンドルを遊技者がタッチし回転操作することにより、後述する発射制御装置１５を介して電動打球発射装置１６が作動せられ、所期の強さで遊技球を発射することができる。１７は該ハンドルの傍に設けられ発射一時停止用の押ボタンスイッチである。
【０００８】
図２はＣＰＵ，ＲＯＭ，ＲＡＭ，Ｉ／Ｏからなる遊技制御基板１９に接続される本発明に関連する入出力機器を示したブロック図で、２０は通過ゲート４を通過した打球を検出する通過検出スイッチ、２１は始動口５に入賞した打球を検出する始動スイッチ、２２は前記可変入賞装置７への入賞球を計数するカウントスイッチ、２３は前記継続入賞口９への入賞球を検出する特定領域スイッチであり、該遊技制御基板１９にはさらに前記図柄変動表示器２と、普通図柄変動表示器１１と、装飾ランプ１３と、可変入賞装置７のソレノイド２５と、始動口５の羽根を開閉動させるソレノイド２６と、発射制御装置１５が接続されている。また、該発射制御装置１５はＣＰＵ，ＲＯＭ，ＲＡＭ，Ｉ／Ｏからなり、該該発射制御装置１５に遊技制御基板１９から特別遊技状態，通常遊技状態等の該遊技機の遊技状態が伝達されるとともに、前記ハンドル１４のタッチ検出信号、および押ボタンスイッチ１７の操作信号が該発射制御装置１５に伝達され、前記電動打球発射装置１６の作動が該発射制御装置１５により制御される。
【０００９】
次に上記発射制御装置１５の作動を図３のフローチャートに従い説明する。ステップａにて発射制御装置１５は遊技制御基板１９からの信号により、今の遊技状態が通常遊技状態か特別遊技状態かを判別し、通常遊技状態である場合はステップｂに移行して発射禁止時間Ａをセットし、ステップｃにてハンドル１４のタッチ検出信号を受ける発射操作検出があるとステップｄにて該発射禁止時間Ａを挿入する。また、特別遊技状態である場合はステップｆに移行して発射禁止時間Ｂをセットし、ステップｇにて同じく発射操作検出があるとステップｈにて該発射禁止時間Ｂを挿入する。そして、ステップｊにて該発射禁止時間Ａまたは発射禁止時間Ｂが経過したことが確認されてからステップｋにて電動打球発射装置１６を発射作動させる。なお、特別遊技状態は通常遊技状態よりも大当たりの発生確率が高く設定されていたり、始動口５の開時間が長く設定されているなどのことで大当たり獲得のチャンスがより高確率であって遊技者にとって有利な状態であることをいう。そして、上記発射禁止時間Ｂは発射禁止時間Ａより長く設定され、例えば発射禁止時間Ａを０．１秒に設定すると、発射禁止時間Ｂは２．０秒に設定することで、特別遊技状態であるときは通常遊技状態のときよりも発射禁止時間が長くなるようにする。
【００１０】
このように遊技状態の如何に従い発射禁止時間が変更されるようにすることにより、従来のように一様に発射禁止時間を設けることによる稼働率の低下をなくすことができる。
【００１１】
一方、図４は請求項１に記載の発明の作動を示したフローチャートである。この発明では、表１に示した２つのタイムテーブルから発射禁止時間が選択される。即ち、通常遊技状態のときにステップｂにてセットされるタイムテーブルＡは発射禁止時間として０．１秒〜２．０秒の範囲を有するものであり、特別遊技状態のときにステップｆにてセットされるタイムテーブルＢは発射禁止時間として２．０秒〜５．０秒の範囲を有するものであり、ステップｄではこのタイムテーブルＡから発射禁止時間がランダムに選択されステップｅにてこれが挿入される。またステップｈではこのタイムテーブルＢから発射禁止時間がランダムに選択されステップｉにてこれが挿入されるようにしている。このため、通常遊技状態のときは特別遊技状態のときよりも総体的に短時間で遊技球が発射されるようになる。
【表１】
0003875909.tif 000002
【００１２】
また、図５は請求項２に記載の発明の作動を示したフローチャートである。この発明では、表２に示したように、発射禁止時間が０〜１．０秒の範囲で選択されるタイムテーブル１と、発射禁止時間が１．０〜２．０秒の範囲で選択されるタイムテーブル２と、発射禁止時間が２．１〜３．０秒の範囲で選択されるタイムテーブル３と、発射禁止時間が３．１〜４．０秒の範囲で選択されるタイムテーブル４と、発射禁止時間が４．１〜５．０秒の範囲で選択されるタイムテーブル５があり、通常遊技状態のときにセットされる禁止時間選択割合Ａでは、９９％の確率でタイムテーブル１が選択され、０．０８％の確率でタイムテーブル２が選択され、０．０１５％の確率でタイムテーブル３が選択され、０．００４％の確率でタイムテーブル４が選択され、０．００１％の確率でタイムテーブル５が選択され、特別遊技状態のときにセットされる禁止時間選択割合Ｂでは、１０％の確率でタイムテーブル１が選択され、２５％の確率でタイムテーブル２が選択され、３０％の確率でタイムテーブル３が選択され、２５％の確率でタイムテーブル４が選択され、１０％の確率でタイムテーブル５が選択されるようにしている。そしてこれらのタイムテーブル１〜５からさらにランダムに選択された発射禁止時間が図５のステップｅ，ステップｉにて挿入される。
【表２】
0003875909.tif 000003
【００１３】
このように発射禁止時間がその時々によって多様に設定されるようにすることにより、大当たり値の乱数が取得されるように遊技球の発射タイミングを合わせることや、始動口５（普通電動役物）の開放を狙い打つことが一層困難になり、そのような狙い打ちを効果的に防止することができる。
【００１４】
また、特別遊技状態のときは、始動口５の開放時間または普通図柄変動表示器１１の変動表示時間と同等またはそれより長い発射禁止時間を含むタイムテーブルから発射禁止時間が選択されるようにすることで、より確実な防止ができる。
【００１５】
また、上記発射禁止時間，タイムテーブル、またはこれらの選択に係る事項は、設定手段を設けることで機種ごとに予め任意に設定可能にすることが望ましい。
【００１６】
【発明の効果】
以上実施形態について説明したように本発明は、遊技者が発射操作手段を操作してから所定の発射禁止時間が経過した後に電動打球発射装置が作動し遊技球が発射されるように構成したパチンコ遊技機において、該遊技機の遊技状態を認識する遊技状態認識手段を設け、該遊技状態認識手段により認識された遊技状態の如何に従い前記発射禁止時間が変更されるようにしたので、タイミングを合わせた狙い打ちが有効に防止され、一部の遊技者が有利となることを防止して、遊技者間の不公平感をなくすとともに、むやみに発射球数を減らし遊技機の稼働率を悪くすることのないようにできるなど有益な効果がある。
【図面の簡単な説明】
【図１】本発明に係るパチンコ遊技機の実施形態を示す正面図。
【図２】本発明に係るパチンコ遊技機の実施形態を示すブロック図。
【図３】本発明の実施形態を示すパチンコ遊技機のフローチャート。
【図４】本発明の実施形態を示すパチンコ遊技機のフローチャート。
【図５】本発明の実施形態を示すパチンコ遊技機のフローチャート。
【符号の説明】
１          遊技盤
２          図柄変動表示器
５          始動口
７          可変入賞装置
１１        普通図柄変動表示器
１４        ハンドル
１５        発射制御装置
１６        電動打球発射装置
１７        押ボタンスイッチ
１９        遊技制御基板
【図１】
0003875909.tif 000004
【図２】
0003875909.tif 000005
【図３】
0003875909.tif 000006
【図４】
0003875909.tif 000007
【図５】
0003875909.tif 000008